【事件の表示】
　特許第３１３４６６４号「地図表示装置及び地図表示方法」の請求項１ないし４、６ないし１０、１２に係る特許に対する特許異議の申立てについて、次のとおり決定する。
【結　論】
訂正を認める。
特許第３１３４６６４号の請求項１に係る特許を取り消す。
【理　由】
１．手続の経緯
　特許第３１３４６６４号の請求項１乃至１２に係る発明は、平成６年５月１２日に特許出願され、平成１２年１２月１日にその特許権の設定登録がなされ、その後、特許異議申立人小野浩一より特許異議の申立てがなされ、平成１３年１２月２５日に取消しの理由が通知され、その指定期間内である平成１４年３月７日に訂正請求がされた後、平成１４年１１月５日に訂正拒絶理由が通知され、その指定期間内である平成１４年１２月２６日に上記訂正請求についての手続補正がなされたものである。
　
２．訂正の適否について
（１）訂正の内容
　特許権者が求めている訂正の内容は、平成１４年１２月２６日付で補正された訂正請求書及びそれに添付された訂正明細書の記載によれば、以下のａ、ｂ及びｃのとおりである。
ａ．特許請求の範囲の訂正
　明細書の特許請求の範囲のうち、請求項１乃至請求項５及び請求項７乃至請求項１２を削除するとともに、特許異議の申立てがなされている請求項である請求項６に記載された「前記メモ情報記憶手段に記憶されたメモ情報と前記地図情報とが対応して記憶される対応情報記憶手段」を「前記メモ情報記憶手段に記憶されたメモ情報と前記地図情報とが対応して結合情報テーブルに記憶される対応情報記憶手段」と訂正する。
ｂ．発明の詳細な説明の訂正
（イ）段落【０００７】乃至【００１１】を削除する。
（ロ）段落【００１２】を「請求項１に対応する発明は、地図情報に基づいて地図を表示する地図表示装置において、互いに異なる複数のランドマークが記憶されたランドマーク一覧記憶部と、互いに異なる複数のカテゴリ及び各カテゴリに対応してキーワード並びにランドマークが記憶されるカテゴリ一覧記憶部と、入力されたカテゴリ、入力されたキーワード及び前記ランドマーク一覧記憶部の記憶内容から選択されたランドマークを組にして登録する旨の登録指令に基づいて、該カテゴリに対応してキーワード及びランドマークを前記カテゴリ一覧記憶部に登録するカテゴリ登録部と、前記カテゴリ登録部により登録されたカテゴリ及びキーワードの組毎に、メモ情報が記憶されるメモ情報記憶手段と、前記メモ情報記憶手段に記憶されたメモ情報と前記地図情報とが対応して結合情報テーブルに記憶される対応情報記憶手段と、前記メモ情報記憶手段内のあるメモ情報が指定されたとき、前記対応情報記憶手段内の対応関係に基づいて、前記指定されたメモ情報に対応する地図情報に従って地図を表示処理し、且つこの地図内で前記指定されたメモ情報に対応する地点をランドマークにより表示する地点表示手段とを備えたことを特徴とする地図表示装置である。」と訂正する。
（ハ）段落【００１４】乃至【００１６】を削除する。
（ニ）段落【００１８】の「さらに、請求項６、１２に対応する発明は、」を「したがって、請求項１に対応する発明は、」と訂正する。
（ホ）段落【００９７】乃至【００９９】を削除する。
（ヘ）段落【０１０１】の「さらに、請求項６、１２の発明によれば、」を「以上説明したように請求項１の発明によれば、」と訂正する。
ｃ．発明の名称の訂正
　発明の名称を「地図表示装置及び地図表示方法」から、「地図表示装置」に訂正する。
　
（２）訂正の目的の適否、新規事項の有無及び拡張・変更の存否
　上記訂正ａは、特許請求の範囲の減縮に該当し、新規事項の追加に該当せず、また実質的に特許請求の範囲を拡張又は変更するものでもない。
　また、上記訂正ｂ及びｃは、特許請求の範囲の減縮に伴って、明細書の明りょうでない記載の釈明をしたものであり、願書に添付した明細書に記載した事項の範囲内のものであって、実質的に特許請求の範囲を拡張又は変更するものでもない。
　
（３）むすび
　以上のとおりであるから、上記訂正は、特許法第１２０条の４第２項及び同条第３項において準用する同法第１２６条第２、３項の規定に適合するので、当該訂正を認める。
　
３．特許異議の申し立てについて
（１）本件発明
　平成１４年３月７日付けで提出され、平成１４年１２月２６日付けで補正された訂正明細書の請求項１に係る発明（以下、「本件発明」という。）は、その特許請求の範囲の請求項１に記載された事項である
「地図情報に基づいて地図を表示する地図表示装置において、互いに異なる複数のランドマークが記憶されたランドマーク一覧記憶部と、互いに異なる複数のカテゴリ及び各カテゴリに対応してキーワード並びにランドマークが記憶されるカテゴリ一覧記憶部と、入力されたカテゴリ、入力されたキーワード及び前記ランドマーク一覧記憶部の記憶内容から選択されたランドマークを組にして登録する旨の登録指令に基づいて、該カテゴリに対応してキーワード及びランドマークを前記カテゴリ一覧記憶部に登録するカテゴリ登録部と、前記カテゴリ登録部により登録されたカテゴリ及びキーワードの組毎に、メモ情報が記憶されるメモ情報記憶手段と、前記メモ情報記憶手段に記憶されたメモ情報と前記地図情報とが対応して結合情報テーブルに記憶される対応情報記憶手段と、前記メモ情報記憶手段内のあるメモ情報が指定されたとき、前記対応情報記憶手段内の対応関係に基づいて、前記指定されたメモ情報に対応する地図情報に従って地図を表示処理し、且つこの地図内で前記指定されたメモ情報に対応する地点をランドマークにより表示する地点表示手段とを備えたことを特徴とする地図表示装置。」により特定されるとおりのものである。
（２）引用例に記載された発明
　当審が通知した取消の理由において引用した特開平５−３１３５８０号公報（平成５年１１月２６日出願公開。以下、「引用例１」という。）には、地図を表示できるという機能を活用し、地図データと関連づけて種々の付加データが記憶でき、多用途に活用できるナビゲーション装置に関して、図面とともに以下の事項が記載されている。
（イ）移動体に搭載されて使用され、地図メモリから読出された地図を表示器に表示させることのできるナビゲーション装置において、電話番号の市外局番を含む任意のデータを登録することのできるデータ登録手段と、市外局番と、その市外局番の領域の地図との関係が予め記憶された地図特定手段と、データ検索信号入力手段と、データ検索信号入力手段からの検索信号入力に応答して、データ登録手段に登録されたデータを検索し、表示器に表示させるデータ表示制御手段と、地図表示信号入力手段と、表示器にデータが表示中に、地図表示信号入力手段から表示信号が入力されたことに応答して、表示中のデータに含まれる市外局番を地図特定手段と照合し、表示中のデータに含まれる市外局番の領域の地図を地図メモリから読出して表示器に表示させる地図表示制御手段と、を含むことを特徴とするナビゲーション装置。（特許請求の範囲請求項１、２頁左欄２行乃至１９行）
（ロ）移動体に搭載されて使用され、地図メモリから読出された地図を表示器に表示させることのできるナビゲーション装置において、地図上の所望の位置に表示すべき登録地マークを記憶するマーク記憶手段と、マーク記憶手段に記憶された登録地マークに関連する任意のデータを登録するデータ登録手段と、表示器に表示される地図が前記登録地マークの表示位置を含むとき、マーク記憶手段に記憶された登録地マークをその登録位置に表示する登録地マーク表示制御手段と、表示器に表示された地図に登録地マークが表示されている場合において、その表示された登録地マークのデータを出力すべき信号を入力する手段と、信号入力手段の入力に応答して、表示された登録地マークに関連したデータをデータ登録手段から読出して表示器に表示させる表示制御手段と、を含むことを特徴とするナビゲーション装置。（特許請求の範囲請求項３、２頁左欄２８行乃至４５行）
（ハ）メモメニュー画面において、電話帳のタッチスイッチ１３ａが押圧されると、表示部１２は、図３Ｂの電話帳表示画面になる。この画面では、画面が「電話帳」であることを示す表示２１と、「ア行」〜「ワ行」および「他」の１１個のタッチスイッチとが表示される。
　そこで、たとえば「ア行」のタッチスイッチ１３ｂが押圧されると、画面は図３Ｃとなる。すなわち、登録されている電話番号のうち、ア行の名前および電話番号が４人分（図示では、簡略化して、表示は一例だけ示されている。）表示される。もし、ア行の名前の電話番号が３つしか登録されていない場合には、最下行にはカ行等の名前の電話番号が表示される。この表示は、カーソルキー１４ｅ（図２参照）の操作によってスクロールすることができる。したがって、電話帳表示では、氏名および電話番号の一覧を見ることができる。
【００２６】　図３Ｃの画面において、たとえばタッチスイッチ１３ｃが押圧されると、表示画面は、図４Ａに示すものとなり、名前２２および電話番号２３のみでなく、そのデータを入力した日付２４および住所等のメモデータ２５が表示される。さらに、地図呼出用のタッチスイッチ１３ｄが表示される。この画面において、タッチスイッチ１３ｄが押圧されると、表示部１２の表示画面は図４Ｂに示す地図表示画面となり、登録された電話番号２３の市外局番「０６」の領域の地図（具体的な地図表示は省略する。）の表示になる。これにより、操作者は、この名前の者の地図上の概略的位置を視覚的に確認できる。（５頁左欄１０行乃至３６行）
（ニ）記憶された地図は、メッシュ状に区画されて正方形または長方形の地図単位に分けられており、それぞれにメッシュ番号が付されている。ＭＩＣ７では、必要なメッシュ番号の地図を読出すようにＣＤドライブ８を制御し、読出された地図を表示部１２に表示させる。
　この実施例の特徴の１つは、これまで説明したように、ナビゲーション装置に備えられたメモ機能を用いて種々のデータがナビゲーション装置に登録可能であるとともに、登録されたデータを、地図データと関連付けて呼び出し、表示器１２に表示可能にされていることである。
【００３８】そのために、ＭＩＣ７には、図９に示すデータ登録用メモリテーブルおよび図１０に示す電話番号テーブルが備えられている。まず、図９を参照して説明すると、データ登録用メモリテーブルには、登録データごとに、入力日付、名前、電話番号、登録マークデータおよびメモ内容記憶用エリアが備えられている。登録マークデータとは、たとえば登録したい建造物を略号化したマークであり、スキー場、別荘、ガソリンスタンド、レストラン等のマークと、そのマークの登録位置データである。また、メモ内容記憶用エリアは、自由にデータが書込めるように細分化された項目が付されていないエリアになっている。また、他の実施例としては、破線で示すように、たとえば住所記憶エリア、スケジュールデータ記憶エリア、メモデータ記憶エリアという３つの細項目に区分されていてもよい。登録データであるメモ内容に、入力日付、名前、電話番号、登録マーク等のインデックスを付与することにより、登録データを入力日付、名前、電話番号または登録マークをインデックスとして検索することが可能となる。（６頁左欄３６行乃至右欄５０行）
（ホ）図１０の電話番号テーブルは、登録データに含まれる電話番号から対応の地図データを呼出す場合に使用するためにテーブルである。電話番号テーブルには、市外局番と、その市外局番領域を表示する地図のメッシュ番号とが対応づけて記憶されている。それゆえ、市外局番が指定されると、その市外局番領域を表示する地図のメッシュ番号が検索でき、その地図を表示することができる。（７頁左欄１行乃至８行）
　
　上記記載事項（ニ）の「データ登録用メモリテーブル」は上記記載事項（イ）の「データ登録手段」の実施例であること、その「データ登録用メモリテーブル」の登録地マークを記憶する部分は、上記記載事項（ロ）のマーク記憶手段に該当することから、引用例１には、
「地図メモリから読出された地図を表示器に表示させることのできるナビゲーション装置において、登録データ毎に登録地マークデータ、電話番号の市外局番を含む任意のデータを登録するデータ登録用メモリテーブルと、市外局番と、その市外局番の領域の地図との関係が予め記憶された地図特定手段と、データ検索信号入力手段と、データ検索信号入力手段からの検索信号入力に応答して、データ登録手段に登録されたデータを検索し、表示器に表示させる表示制御手段と地図表示信号入力手段と、表示器にデータが表示中に、地図表示信号入力手段から表示信号が入力されたことに応答して、表示中のデータに含まれる市外局番を地図特定手段と照合し、表示中のデータに含まれる市外局番の領域の地図を地図メモリから読出して表示器に表示させる地図表示制御手段と、表示器に表示される地図が前記登録地マークの表示位置を含むとき、データ登録用メモリテーブルに記憶された登録地マークをその登録位置に表示する登録地マーク表示制御手段と、を含むことを特徴とするナビゲーション装置。」（以下、引用例１に記載された発明という。）が記載されていると認められる。
　
　同じく引用した引用した特開平６−４３８０７号公報（平成６年２月１８日出願公開。以下、「引用例２」という。）には、周辺施設および周辺登録地をその種類に応じたマークを持って地図上に表示可能なナビゲーション装置において、周辺施設および周辺登録地の情報を記憶するメモリを有するものが記載されており、当該メモリについて、「例えばＳＲＡＭ等の随時データの書き込み、読み出し、消去が可能なメモリが使用されており、例えば２つのメモリ領域に分割されている。一方のメモリ領域には、地図メモリ５０から読み出された周辺施設が存在するメッシュＮｏ、当該メッシュでの座標、施設マーク、周辺施設の名称およびメモ情報（電話番号、住所等）が記憶されており、他方のメモリ領域には、周辺登録地が存在するメッシュＮｏ、当該メッシュでの座標、登録地マーク、周辺施設の名称およびメモ情報（電話番号、住所等）が記憶されている。」と記載されている。（４頁左欄１４行乃至２４行）
　
　同じく引用した特開平４−３６０２６０号公報（平成４年１２月１４日出願公開。以下、「引用例３」という。）には、メモ内容の入力において入力する内容に応じた質問項目名を設定でき、設定された質問項目名に対応したガイダンス表示を視認しながらメモ内容を入力できる電子手帳等の小型情報端末機に関して、次の事項が記載されている。
（イ）キー入力されるメモ内容に応じた質問項目名を記憶部に登録できるモードを備えた小型情報端末機であって、該メモ内容の入力処理を選択するメモキーおよび他の機能を選択できる複数の機能キーを有する機能選択キーと、該機能選択キーで選択される機能を実行させる複数のアプリケーションプログラムを内蔵するプログラム格納手段と、該メモキーが選択され、対応するアプリケーションプログラムが起動されると、該記憶部に登録された該質問項目名の中から該メモ内容に応じた質問項目名を選択し、該質問項目名の内容を複数頁の表示ガイダンスとして表示部に表示させる制御手段と、該表示ガイダンスに対応したデータが入力されると、該表示ガイダンスを次頁の表示ガイダンスにシフトして行く表示画面シフト手段と、全ての表示ガイダンスに対応したデータが入力されると、入力されたデータを該記憶部又は他の記憶部に格納するデータ格納手段とを備えた小型情報端末機。（特許請求の範囲）
（ロ）図４は質問項目名の登録処理時におけるＣＰＵ１の制御手順を示す。ＣＰＵ１はオペレータのキー入力により、ステップＳ３０で質問項目名の設定モードが設定されると、質問項目名数ｎをｎ＝１にセットし、ステップＳ３１で、例えば一定のメモ内容を入力処理する際に必要な質問項目名の入力処理に関するサブルーチンを実行し、最初の質問項目名に関する入力処理を行う。次に、ステップＳ３２で次の質問項目名の入力があるか否かを判定し、入力があったことを確認すると、項目名数ｎを２にセットし（Ｓ３３）、ステップＳ３１の入力処理を再行する。
【００２２】そして、新たな質問項目名の入力がある都度、項目名数ｎを１個ずつインクリメントして行き、ステップＳ３２で新たな質問項目名の入力がないことを確認すると、それ迄に入力された数の質問項目名をＲＡＭ３に転送して書き込む（Ｓ３４）。これにより、複数の質問項目数からなる質問項目名がＲＡＭ３に登録される。（３頁右欄４６行乃至４頁左欄１３行）
（ハ）質問項目名は複数の質問項目からなり、各質問項目毎の表示ガイダンスがＬＣＤ１０に表示されるようになつている。従って、以後ＲＡＭ３に登録された質問項目名を読み出し、表示ガイダンスをＬＣＤ１０に順次表示すれば、該表示ガイダンスに従ってメモ内容の入力処理が行える（４頁左欄１４行乃至１８行）
（ニ）メモ内容として書籍の内容を入力する場合は、ステップＳ５１で書籍名を入力する旨をオペレータに促す表示ガイダンス「書籍名？」が表示される。
【００２７】次いで、メモキー153の２回目のオン操作が行われると、ステップＳ５１の表示ガイダンスの初期画面を２種目目の表示ガイダンスにシフトする（Ｓ５２）。具体的には、著者名を入力する旨をオペレータに促す表示ガイダンス「著者名？」が表示される。以下同様にして出版社名等を入力する旨を促す表示ガイダンスが表示される。（４頁左欄４９行乃至右欄９行）
（ホ）なお、上記実施例ではメモ内容として、書籍に関するものを例示したが、他のメモ内容についても同様に行える。また、電子手帳以外の小型情報端末機にも同様に適用できる。（５頁左欄１２行乃至１５行）
（ヘ）同様のメモ内容を入力する場合は、同一の質問項目名のフォーマットで行えるので、この点においても入力操作を簡単、且つ迅速、正確に行える利点がある。（５頁左欄２５行乃至２８行）
　
　同じく引用した引用した特開平５−９４１２９号公報（平成５年４月１６日出願公開。以下、「引用例４」という。）には、施設の情報（メモ情報）を登録できるナビゲーション装置において、装置内のメモリに記号列情報として記憶された記号を選択し、施設の位置を地図上に表示する際の目印とするものが記載されている。
（３）対比・判断
　本件発明と引用例１に記載された発明を対比すると、引用例１に記載された発明の「地図メモリから読出された地図を表示器に表示させることのできるナビゲーション装置」は、一種の「地図情報に基づいて地図を表示する地図表示装置」であり、その「データ登録用メモリテーブル」は、メモ情報が記憶されるのであるから、メモ情報が記憶される点で、本件発明のメモ情報記憶手段に相当する。また、引用例１に記載された発明の「データ登録用メモリテーブル」と「地図特定手段」は、電話番号の市外局番を介してメモ情報である登録データと地図情報とを対応付けているものであるから、メモ情報記憶手段に記憶されたメモ情報と地図情報とが対応して記憶される対応情報記憶手段である点で、本件発明の「対応情報記憶手段」に相当する。さらに、引用例１に記載された発明の「登録地マーク」は本件発明の「ランドマーク」に該当し、引用例１に記載された発明における「データ検索信号入力手段からの検索信号入力に応答して、データ登録手段に登録されたデータを検索し、表示器に表示させる」及び「表示器にデータが表示中に、地図表示信号入力手段から表示信号が入力されたことに応答して、表示中のデータに含まれる市外局番を地図特定手段と照合し、表示中のデータに含まれる市外局番の領域の地図を地図メモリから読出して表示器に表示させる」は、「データ登録手段に登録されたデータを検索し、表示器に表示させる」ことはデータ登録手段に登録されたデータを指定することであるから、本件発明における「メモ情報記憶手段内のあるメモ情報が指定されたとき、前記対応情報記憶手段内の対応関係に基づいて、前記指定されたメモ情報に対応する地図情報に従って地図を表示処理し」に対応し、引用例１に記載された発明における「表示器に表示される地図が前記登録地マークの表示位置を含むとき、データ登録用メモリテーブルに記憶された登録地マークをその登録位置に表示する」は本件発明の「この地図内で前記指定されたメモ情報に対応する地点をランドマークにより表示する」に対応するから、引用例１に記載された発明の「地図表示制御手段」と「登録地マーク表示制御手段」は、本件発明の地点表示手段に相当する。
　したがって、本件発明と引用例１に記載された発明は、
「地図情報に基づいて地図を表示する地図表示装置において、メモ情報が記憶されるメモ情報記憶手段と、前記メモ情報記憶手段に記憶されたメモ情報と前記地図情報とが対応して記憶される対応情報記憶手段と、前記メモ情報記憶手段内のあるメモ情報が指定されたとき、前記対応情報記憶手段内の対応関係に基づいて、前記指定されたメモ情報に対応する地図情報に従って地図を表示処理し、且つこの地図内で前記指定されたメモ情報に対応する地点をランドマークにより表示する地点表示手段とを備えたことを特徴とする地図表示装置。」である点で一致し、以下の点で相違する。
（相違点１）
　本件発明は、ランドマーク一覧記憶部を備えているのに対して、引用例１には、登録地マークを一覧記憶している記憶手段が明記されていない点。
（相違点２）
　本件発明は、互いに異なる複数のカテゴリ及び各カテゴリに対応してキーワード並びにランドマークが記憶されるカテゴリ一覧記憶部と、入力されたカテゴリ、入力されたキーワード及び前記ランドマーク一覧記憶部の記憶内容から選択されたランドマークを組にして登録する旨の登録指令に基づいて、該カテゴリに対応してキーワード及びランドマークを前記カテゴリ一覧記憶部に登録するカテゴリ登録部を備え、メモ情報記憶部には、カテゴリ登録部により登録されたカテゴリ及びキーワードの組毎に、メモ情報が記憶されるものであるのに対して、引用例１には、メモ情報のカテゴリという概念が明記されていない点。
（相違点３）
　本件発明の対応情報記憶手段は結合情報テーブルでメモ情報と地図情報とが直接対応付けられているのに対して、引用例１に記載された発明では、電話番号の市外局番を介して間接的に対応付けている点。
　
　そこで、上記相違点について検討する。
（相違点１について）
　引用例４に記載された施設の目印とする記号は、本件発明のランドマークに相当し、記号を記号列情報として記憶した装置内のメモリは、本件発明のランドマーク一覧記憶部に相当するが、引用例１に記載された発明においても、ランドマーク一覧記憶部に相当する登録地マークを一覧記憶している記憶手段を設けることは、引用例４の記載に基づき当業者が容易になし得たことである。
（相違点２について）
　引用例３に記載された質問項目名は、引用例３の記載事項（ヘ）によれば「同様のメモ内容を入力する場合は、同一の質問項目名のフォーマットで行える」ものであるから、メモ内容をカテゴライズしたものであり、本件発明のカテゴリに相当し、同じく引用例３に記載された質問項目は、本件発明のキーワードに相当する。
　そして、引用例３の記載事項（イ）、（ロ）及び（ハ）によれば、ＲＡＭ３には複数の質問項目からなる質問項目名が複数個登録されるものであり、質問項目とは独立に質問項目名を表す名称を登録することは明記されていないが、「記憶部に登録された該質問項目名の中から該メモ内容に応じた質問項目名を選択」するものであるから、質問項目名を表す名称を登録しておきその名称を用いて質問項目名を選択できるようにすることは極めて自然であること、引用例３に記載されたメモ内容の記録手法を地図情報と関連づけてメモ情報を記憶する装置に適用することに何らかの困難な事情があったとも認められないこと、及び地図情報と関連づけてメモ情報を記憶する装置においてはランドマークを記憶しておき表示することは周知であり、ランドマークは、施設の種類毎すなわちカテゴリ毎に設けられることが通例であることから、引用例１に記載された発明においても、互いに異なる複数のカテゴリ及び各カテゴリに対応してキーワード並びにランドマークが記憶されるカテゴリ一覧記憶部を設けることは、当業者が容易になし得たことである。そして、カテゴリ一覧記憶部にデータを登録するためには何らかの登録手段が必要であることは自明であり、ランドマーク一覧記憶部にランドマークが記憶されていることを前提とすれば、入力されたカテゴリ、入力されたキーワード及び前記ランドマーク一覧記憶部の記憶内容から選択されたランドマークを組にして登録する旨の登録指令に基づいて、該カテゴリに対応してキーワード及びランドマークを前記カテゴリ一覧記憶部に登録するカテゴリ登録部を備えるようにすることも当業者が容易になし得たことであり、その結果としてデータ登録用メモリテーブルには、カテゴリ登録部により登録されたカテゴリ及びキーワードの組毎に、メモ情報が記憶されるようにすることも、当業者が容易になし得たことである。
　以上のとおりであるので、相違点２を格別のものと認めることはできない。
（相違点３について）
　引用例２に記載された周辺施設および周辺登録地の情報を記憶するメモリは、メモ情報と地図のメッシュＮｏ及び当該メッシュでの座標を直接対応付けるものであり、引用例２に記載されたものに基づき、引用例１に記載された発明においても、地図特定手段をデータ登録用メモリテーブルと統合し、メモ情報と地図情報を直接対応付けることは当業者が容易になし得たことである。
　
（４）むすび
　以上のとおりであるので、本件発明は、引用例１乃至４に記載された発明に基づいて、本件特許出願前に、当業者が容易になし得たものであるから、本件発明の特許は、特許法第２９条第２項の規定に違反してなされたものである。
　したがって、本件特許の請求項１に係る発明の特許は、特許法第１１３条第２号に該当し、取り消されるべきものである。
　
　よって、結論のとおり決定する。
【異議決定日】
平成１５年２月４日（２００３．２．４）
【訂正の要旨】
（１）訂正事項ａ：全文訂正明細書中の特許請求の範囲
請求項１から請求項５を削除し、請求項６を請求項１とするように、「地図情報に基づいて地図を表示する地図表示装置において、互いに異なる複数のランドマークが記憶されたランドマーク一覧記憶部と、互いに異なる複数のカテゴリ及び各カテゴリに対応してキーワード並びにランドマークが記憶されるカテゴリ一覧記憶部と、入力されたカテゴリ、入力されたキーワード及び前記ランドマーク一覧記憶部の記憶内容から選択されたランドマークを組にして登録する旨の登録指令に基づいて、該カテゴリに対応してキーワード及びランドマークを前記カテゴリ一覧記憶部に登録するカテゴリ登録部と、前記カテゴリ登録部により登録されたカテゴリ及びキーワードの組毎に、メモ情報が記憶されるメモ情報記憶手段と、前記メモ情報記憶手段に記憶されたメモ情報と前記地図情報とが対応して結合情報テーブルに記憶される対応情報記憶手段と、前記メモ情報記憶手段内のあるメモ情報が指定されたとき、前記対応情報記憶手段内の対応関係に基づいて、前記指定されたメモ情報に対応する地図情報に従って地図を表示処理し、且つこの地図内で前記指定されたメモ情報に対応する地点をランドマークにより表示する地点表示手段とを備えた地図表示装置。」と訂正する。
（２）訂正事項ｂ
訂正事項ａに伴い、特許請求の範囲との整合性を図るため、明瞭でない記載の釈明、誤記の訂正を目的として、以下の補正を行なう。
▲１▼明細書【０００７】から【００１１】を削除する。
▲２▼明細書【００１２】第１行目「さらに、請求項６に対応する発明は、」を、「請求項１に対応する発明は、」となるように、訂正する
▲３▼明細書【００１４】から【００１６】を削除する。
▲４▼明細書【００１８】第１行目「さらに、請求項６に対応する発明は、」を、「従って、請求項１に対応する発明は、」となるように、訂正する。
▲５▼明細書【００９７】から【００９９】を削除する。
▲６▼明細書【０１０１】第１行目「さらに、請求項６に対応する発明によれば、」を、「以上説明したように請求項１の発明によれば、」となるように、訂正する。
（５４）【発明の名称】
地図表示装置
（５７）【特許請求の範囲】
　【請求項１】地図情報に基づいて地図を表示する地図表示装置において、互いに異なる複数のランドマークが記憶されたランドマーク一覧記憶部と、互いに異なる複数のカテゴリ及び各カテゴリに対応してキーワード並びにランドマークが記憶されるカテゴリ一覧記憶部と、入力されたカテゴリ、入力されたキーワード及び前記ランドマーク一覧記憶部の記憶内容から選択されたランドマークを組にして登録する旨の登録指令に基づいて、該カテゴリに対応してキーワード及びランドマークを前記カテゴリ一覧記憶部に登録するカテゴリ登録部と、前記カテゴリ登録部により登録されたカテゴリ及びキーワードの組毎に、メモ情報が記憶されるメモ情報記憶手段と、前記メモ情報記憶手段に記憶されたメモ情報と前記地図情報とが対応して結合情報テーブルに記憶される対応情報記憶手段と、前記メモ情報記憶手段内のあるメモ情報が指定されたとき、前記対応情報記憶手段内の対応関係に基づいて、前記指定されたメモ情報に対応する地図情報に従って地図を表示処理し、且つこの地図内で前記指定されたメモ情報に対応する地点をランドマークにより表示する地点表示手段とを備えた地図表示装置。
【発明の詳細な説明】
　【０００１】
　【産業上の利用分野】本発明は、地図を表示する地図表示装置及び地図表示方法に係わり、特に人手による煩雑な検索作業を省略し、使用性を向上し得る地図表示装置及び地図表示方法に関する。
　【０００２】
　【従来の技術】近年、ビジネス用の情報産業の分野では、取引先の担当者などを示す住所録、簡単なコメントを示すメモ情報、市役所や美術館などを示す主要施設情報を電気的に登録及び表示可能な携帯用の電子手帳が用いられている。
　【０００３】一方、この種の電子手帳に関連した技術の進歩に伴い、索引用の索引地図及び詳細地図を画面に表示する携帯用の地図表示装置が開発されている。このような電子手帳や地図表示装置においては、電子手帳の住所録から所望の住所を検索し、検索結果に基づいて地図を調べるという紙の手帳や地図と同等の基本機能を有した上、さらに、小型化及び軽量化が図られており、特に外勤のビジネスマンに広く用いられている。
　【０００４】
　【発明が解決しようとする課題】しかしながら以上のような地図表示装置などでは、住所録と地図とが完全に独立したシステムであり、前述した通り、住所の地図上の位置を確認する際に、一旦、住所録を検索して所望の住所を選び出し、その住所を地図上で探すという作業が必要であるが、この種の作業は極めて煩雑であるという問題がある。
　【０００５】例えば、ある会社を検索する際に、一つの会社が複数の事業所を持つ場合、会社が複数のビルに点在している場合、一つの会社で複数の人と知り合っている場合などのように住所録と地図位置とが一対一で対応しない場合、これらの対応関係を想起しながら住所を地図上で探す必要がある。
　【０００６】本発明は上記実情を考慮してなされたもので、人手による煩雑な検索作業を省略し、使用性を向上し得る地図表示装置及び地図表示方法を提供することを目的とする。
　【０００７】
　【課題を解決するための手段】
　【０００８】
　【０００９】
　【００１０】
　【００１１】
　【００１２】請求項１に対応する発明は、地図情報に基づいて地図を表示する地図表示装置において、互いに異なる複数のランドマークが記憶されたランドマーク一覧記憶部と、互いに異なる複数のカテゴリ及びカテゴリに対応してキーワード並びにランドマークが記憶されるカテゴリ一覧記憶部と、入力されたカテゴリ、入力されたキーワード及び前記ランドマーク一覧記憶部の記憶内容から選択されたランドマークを組にして登録する旨の登録指令に基づいて、該カテゴリに対応してキーワード及びランドマーク前記カテゴリ一覧記憶部に登録するカテゴリ登録部、前記カテゴリ登録部により登録されたカテゴリ及びキーワードの組毎に、メモ情報が記憶されるメモ情報記憶手段と、前記メモ情報記憶手段に記憶されたメモ情報と前記地図情報とが対応して結合情報テーブルに記憶される対応情報記憶手段と、前記メモ情報記憶手段内のあるメモ情報が指定されたとき、前記対応情報記憶手段内の対応関係に基づいて、前記指定されたメモ情報に対応する地図情報に従って地図を表示処理し、且つこの地図内で前記指定されたメモ情報に対応する地点をランドマークにより表示する地点表示手段とを備えた地図表示装置である。
　【００１３】
　【００１４】
　【作用】
　【００１５】
　【００１６】
　【００１７】
　【００１８】従って、請求項１に対応する発明は、複数のランドマークと、複数のカテゴリ及び各カテテゴリに対応してキーワード並びにランドマークとが記憶され、カテゴリ登録部により登録されたカテゴリ及びキーワードの組毎に、メモ情報が記憶されるメモ情報記憶手段と、メモ情報記憶手段に記憶されたメモ情報と地図情報とが対応して記憶される対応情報記憶手段とを設け、カテゴリ登録部が、入力されたカテゴリ、入力されたキーワード及び記憶された複数のランドマークの中から選択されたランドマークを組にして登録する旨の登録指令に基づいて、該カテゴリに対応してキーワード及びランドマークを登録し、地点表示手段が、メモ情報記憶手段内のあるメモ情報が指定されたとき、対応情報記憶手段内の対応関係に基づいて、指定されたメモ情報に対応する地図情報に従って地図を表示処理し、且つこの地図内で指定されたメモ情報に対応する地点をランドマークにより表示する。このように、前述した煩雑な検索作業の省略に加え、カテゴリに対応してキーワード及びランドマークを登録することができる。
　【００１９】
　【００２０】
　【００２１】
　【００２２】
　【実施例】以下、本発明の実施例について図面を参照して説明する。図１は本発明の第１の実施例に係る地図表示装置の構成を示す機能ブロック図である。この地図表示装置は、図示しない携帯用装置本体に、データベース部１、入力処理部２、検索処理部３、登録部４、表示処理部５、リスト作成部６、表示部７及びスクロール制御部８を備えている。
　【００２３】ここで、データベース部１は、索引用の全体地図を示す全体地図情報及びこの全体地図の詳細を部分毎に示す複数の詳細地図情報が記憶された地図情報記憶部１１と、会社並びに個人の名称、所属、肩書、郵便番号、住所、電話番号及びファックス番号が記憶される住所録記憶部１２と、ビジネスポイント名称及びその内容が記憶されるビジネス情報記憶部（主要施設情報記憶手段）１３と、互いに異なる複数のカテゴリ及び各カテゴリに対応してキーワード並びにランドマークが記憶されたカテゴリ一覧記憶部１４と、互いに異なる複数のランドマーク（シンボルマーク）が記憶されたランドマーク一覧記憶部１５と、カテゴリ、このカテゴリに対応するキーワード及びこのキーワードに対応するコメントを示すメモ情報が記憶されるメモ情報記憶部１６と、地図情報記憶部１１内の各詳細地図とこれら住所録記憶部１２、ビジネス情報記憶部１３並びにメモ情報記憶部１６内の情報とを結合する結合情報が記憶される結合情報テーブル（対応情報記憶手段）１７とを備えている。
　【００２４】結合情報テーブル１７は、図２に示すように、地図情報記憶部１１内の詳細地図上の位置を特定する地図座標と、住所録記憶部１２内の情報を特定する名称並びに住所と、ビジネス情報記憶部１３内の情報を特定するビジネスポイント名称と、メモ情報記憶部１４内の情報を特定するキーワード，コメントの先頭２文字並びにカテゴリと、ランドマークとが互いに対応するように結合情報として登録されるものである。なお、ビジネス情報記憶部１３内の情報は、例えば企業、銀行、ショウルーム、工場、ビルなどのビジネス関連で必要な任意の情報であり、他にもホテル、ショッピング、アミューズメント、公共機関、結婚式場などで必要な情報である。また、必要な情報としては、例えばアミューズメントの場合、施設の名称、住所、電話番号、開園時間、休日、入場料、交通手段、駐車場の規模、主な催しものなどがある。
　【００２５】入力処理部２は、携帯者の操作に基づいて、表示指令、検索指令、リスト作成指令、登録指令又はスクロール指令などを入力指令として作成し、作成した入力指令をその内容に対応して検索処理部３、リスト作成部６、登録部、表示処理部５又はスクロール制御部８のいずれかに与えるものである。ここで、入力処理部２としては、表示部７の画面上に設けられたタッチパネルを有し、画面の表示内容及びこの画面上でタッチ操作された座標位置に基づいて入力指令を作成している。
　【００２６】検索処理部３は、入力処理部２から受ける入力指令の内容に基づいてデータベース部１内の結合情報テーブル１７を検索し、検索結果を表示処理部５に送出する機能をもっている。
　【００２７】表示処理部５は検索処理部３、入力処理部２、リスト作成部６、登録部４又はスクロール制御部８に制御されて表示処理を実行し、表示部７を制御する機能をもっている。
　【００２８】表示部７は表示処理部５に制御されてアイコン、地図情報及びウインドウ画面などを表示する機能を有し、ここでは液晶パネルが使用されている。また、リスト作成部６は入力処理部２から受けるリスト作成指令に基づいて、表示処理部５及びデータベース部１を参照して、現在表示中の地図内のビジネスポイント、住所録又はメモ情報のリストを表示処理部５を通して表示部７に表示させる機能をもっている。
　【００２９】登録部４は入力処理部２から受ける登録指令に基づいてデータベース部１の住所録記憶部１２、ビジネス情報記憶部１３、メモ情報記憶部１６又は結合情報テーブル１７のうち、いずれかの内容を登録する機能をもっている。
　【００３０】スクロール制御部８は入力処理部２から受けるスクロール指令に基づいて、現在表示中の画面をスクロールするように表示処理部５を制御する機能をもっている。また、表示処理部５はスクロール制御部８から受ける入力指令に従って表示画面をスクロールするように表示部７を制御する機能をもっている。
　【００３１】次に、以上のように構成された地図表示装置の動作を用いて説明する。なお、以下の動作説明は（１）初期状態、（２）住所録の地図上への登録、（３）詳細地図の検索、（４）メモ地点の登録、（５）メモ地点の検索、（６）ランドマークの表示、（７）ポイントリストの表示及び（８）カテゴリ登録の順序に沿って行なわれる。
（１）初期状態
いま、図示しない電源が携帯者の操作により、オン状態にされたとする。表示処理部５はデータベース部１内の地図情報記憶部１１から全体地図情報を読出して全体地図の表示処理を実行し、表示部７はこの表示処理に従って、例えば図３に示すように、東京都の全体地図を液晶表示する。なお、図３中、曲線２１は山手線及び中央線などの鉄道路線を示し、複数の枠２２は各詳細地図の境界を示している。
　【００３２】ここで、入力処理部２は、ある地点Ｐ１が携帯者によりペン先等でタッチ操作されると、この地点Ｐ１の属する詳細地図の表示指令を検索処理部３に送出する。
　【００３３】検索処理部３はこの表示指令を受けると、該表示指令に基づいてデータベース部１の地図情報記憶部１１を検索し、表示指令の示す詳細地図情報を表示処理部５に与える。表示処理部５はこの詳細地図情報に基づいて詳細地図の表示処理を実行し、表示部７は全体地図の表示に代えて、図４に示すように、詳細地図を表示する。この詳細地図は、説明を簡単にするために簡略化されて図示されているが、実際には地名等を含めて詳細に表示されている。なお、表示中の詳細地図は表示処理部５に与えられた詳細地図の一部であり、スクロール可能となっている。
　【００３４】例えば、入力処理部２は、図５の一点鎖線で示すように、画面の周縁部２３ａ　２３ｈのうちのいずれかが携帯者によりタッチ操作されると、タッチされた周縁部の方向に画面をスクロールする旨のスクロール指令をスクロール制御部８に送出する。スクロール制御部８はこのスクロール指令に従って表示処理部５を制御し、画面をスクロールさせる。また、詳細地図の端部がタッチ操作された場合、検索処理部３が地図情報記憶部１１を検索し、この詳細地図に隣接した詳細地図を示す詳細地図情報を表示処理部５に送出する。これにより、画面は詳細地図の境界を越えてスクロールされる。
　【００３５】さらに、この画面の下方には、地図ボタン３１、登録ボタン３２、検索ボタン３３、メモボタン３４及び特別ボタン３５が表示されている。なお、地図ボタン３１は索引地図を表示させるためのものであり、登録ボタン３２は地点を登録するためのものである。また、検索ボタン３３は詳細地図を探して表示するためのものであり、メモボタン３４は地点情報と共に、メモ情報を記録するためのものである。特別ボタン３５は、ランドマーク表示、ポイントリスト表示及びカテゴリ表示を行うためのものである。以下、本実施例装置において、これらのボタンを用いた動作を説明する。
（２）住所録の地図上への登録
ここでは、始めに、地点を指定してから登録する第１の方式を用いて述べ、次に、住所録記憶部１２から登録対象となる名称を検索してから地点を指定して登録する第２の方式を説明する。また、本実施例装置はこれら第１及び第２の方式のいずれも使用可能となっている。
　【００３６】図６は第１の登録方式を説明するためのフローチャートである。いま、入力処理部２では、図７（ａ）に示すように、携帯者により、画面の同一地点Ｐ２が２回タッチ操作され（ＳＴ１）、且つ登録ボタン３２がタッチ操作されると（ＳＴ２）、ステップＳＴ１でタッチ操作により指定された地点Ｐ２を対象として登録処理を開始する旨の登録指令を登録部４に送出する。
　【００３７】登録部４はこの登録指令を受けると、図７（ｂ）に示すように、名称入力ウインドウ画面４１を表示処理部５を介して表示部７に表示させる（ＳＴ３）。この名称入力ウインドウ画面４１では、図８（ｃ）に示すように、携帯者のペン入力操作により、氏名もしくは会社名を示す名称の一部がペン入力される（ＳＴ４）。このとき、入力処理部２では、実行ボタン４１ａのタッチ操作の待状態をとる。
　【００３８】ここで、入力処理部２では、携帯者によりボタンがタッチ操作されると、このタッチ操作されたボタンの種類が実行ボタン４１ａであるか否かを判定し（ＳＴ５）、実行ボタン４１ａでは無くキャンセルボタン４１ｂであるとき、当該名称及び地点の登録処理を取消して（ＳＴ６）処理を終了し、ステップＳＴ５の判定が実行ボタン４１ａのタッチ操作を示すとき、ステップＳＴ４でペン入力された名称を対象としたリストを作成して表示させる旨のリスト作成指令をリスト作成部６に送出する。
　【００３９】リスト作成部６は、このリスト作成指令を受けると、ステップＳＴ４でペン入力された文字列に基づいてデータベース部１の住所録記憶部１２における全件の名称を前方一致検索すると共に（ＳＴ７）、該当する名称の候補の有無を判定し（ＳＴ８）、名称候補の有るとき、住所録記憶部１２内の各名称のうち、ペン入力された名称に該当する名称についてリストを作成し（ＳＴ９）、該リストを表示処理部５に通知する。表示処理部は、図８（ｄ）に示すように、このリスト４２のウインドウ表示処理を実行する（ＳＴ１０）。
　【００４０】登録部４では、このリスト４２に表示された各名称のうち、氏名もしくは会社名をタッチ操作で選択されると（ＳＴ１１）、この名称とステップＳＴ１で指定された地点の地図座標とを結合情報テーブル１７に登録すると共に（ＳＴ１２）、登録の完了表示を実行し（ＳＴ１３）、指定地点Ｐ２の表示を消去して登録処理を終了する。
　【００４１】なお、ステップＳＴ８において、該当候補の名称無しと判定されたとき、表示処理部５では、該当する候補の無い旨を表示処理すると共に（ＳＴ１４）、名称を再入力するか否かをメッセージ表示し（ＳＴ１５）、この結果、名称が再入力されるとき、名称入力ウインドウ画面４１をリセットして（ＳＴ１６）ステップＳＴ３に戻る。また、表示処理部５はステップＳＴ１５
の結果、名称が再入力されないとき、名称入力ウインドウ画面４１及び指定地点Ｐ２の表示を消去して登録処理を終了する。
　【００４２】次に、第２の方式として、住所録記憶部１２内で登録対象となる名称を検索してから地点を指定して登録する方法を説明する。図９はこの第２の登録動作を説明するためのフローチャートであり、図６とほぼ同一部分にはａの添字を付してその詳しい説明は省略し、ここでは異なる部分についてのみ述べる。
　【００４３】始めに、表示中の地図がタッチ操作されずに登録ボタン３２をタッチ操作されると（ＳＴ２ａ）、名称入力ウインドウ画面４１が表示される（ＳＴ３ａ）。続いて、名称がペン入力されると共に（ＳＴ４ａ）、実行ボタン４１ａがタッチされると（ＳＴ５ａ）、前述した通り、住所録記憶部１２が検索されて（ＳＴ７ａ）、リスト４２が作成及び表示される（ＳＴ９ａ、ＳＴ１０ａ）。
　【００４４】ここで、リスト４２から名称が選択されると（ＳＴ１１ａ）、検索処理部３では、住所録記憶部１２内におけるＳＴ１１ａで選択された名称に対応する住所を検索して検索結果を表示処理部５に与え、表示処理部５が、現在表示中の地図を当該住所地点をもつ詳細地図に変更するように表示処理する（ＳＴ２１）。
　【００４５】これにより、登録部４では、携帯者の操作により、変更後の詳細地図上で所望の地点が指定されると（ＳＴ２２）、該指定された地点の地図座標及び名称を結合情報テーブル１７に登録する（ＳＴ１２ａ）。以下、前述同様に登録完了表示を実行して（ＳＴ１３ａ）登録処理を終了する。
　【００４６】このように、第２の方式では、名称を入力した後に変更表示された地図から所望の地点を指定するので、予め該当する詳細地図を探す必要を無くし、地図座標及び名称からなる複数の組を連続して登録し易くしている。
（３）詳細地図の検索
図１０はある地点の名称又は住所が指示されたときにおける当該地点を含む詳細地図の検索動作を説明するためのフローチャートである。
　【００４７】いま、携帯者に検索ボタン３３がタッチ操作されたとする（ＳＴ３１）。入力処理部２は、この検索ボタン３３のタッチ操作に基づいて検索指令を検索処理部３に送出する。検索処理部３は、この検索指令に基づいて、名称ボタン及び住所ボタンからなる検索項目選択ウインドウの表示指令を表示処理部５に送出し、表示処理部は、図１１（ｅ）に示すように、検索項目選択ウインドウ４３の表示処理を実行する（ＳＴ３２）。
　【００４８】ここで、入力処理部２では、携帯者により、検索項目選択ウインドウ４３内のボタンがタッチ操作されると、このタッチ操作されたボタンの種類が名称ボタン４３ａであるか否かを判定し（ＳＴ３３）、名称ボタン４３ａではないときに住所入力ウインドウ画面を表示するように表示指令を表示処理部に与えるが（ＳＴ３４）、ステップＳＴ３３の判定結果が名称ボタン４３ａを示すとき、名称入力ウインドウ画面４１を表示する旨の表示指令を表示処理部５に与える。
　【００４９】表示処理部５はこの表示指令に従って名称入力ウインドウ画面４１を表示処理する（ＳＴ３５）。続いて、名称入力ウインドウ画面４１では、携帯者の操作により、名称がペン入力される（ＳＴ３６）。【００５０】入力処理部２ではこのペン入力された名称を対象とするリスト４２を作成して表示する旨のリスト作成指令をリスト作成部６に送出する。リスト作成部６はこのリスト作成指令を受けると、ステップＳＴ３６でペン入力された文字列に基づいてデータベース部１の住所録記憶部１２における全件の名称を前方一致検索すると共に（ＳＴ３７）、該当する名称の候補の有無を判定し（ＳＴ３８）、名称候補の無いとき、候補の無い旨を表示させる表示指令を表示処理部５に通知して検索処理を終了し（ＳＴ３９）、ステップＳＴ３８による判定が名称候補の有る旨を示すとき、住所録記憶部１２内の各名称のうち、ペン入力された名称に該当する名称についてリストを作成し（ＳＴ４０）、該リストを表示処理部５に通知する。表示処理部５はこのリスト４２の表示処理を実行する（ＳＴ４１）。
　【００５１】検索処理部３では、このリスト４２に表示された各名称のうち、氏名もしくは会社名をタッチ操作で選択されると（ＳＴ４２）、この名称に従って結合情報テーブル１７内に該名称及びその地図座標が登録されているか否かを判定し（ＳＴ４３）、地図座標が未登録のとき、未登録の旨を表示処理部５を通して表示させて（ＳＴ４４）検索処理を終了するが、地図座標が登録済のとき、この地図座標を含む詳細地図情報を表示処理部５に与える。表示処理部５はこの詳細地図情報に基づいて詳細地図の表示処理を実行する（ＳＴ４５）。
　【００５２】このように、本実施例装置は、ペン入力された名称に対応する地点を含む詳細地図を検索して表示することができる。一方、ステップＳＴ３４により、図１２（ｆ）に示すように、住所入力ウインドウ画面４４が表示されたとき、この住所入力ウインドウ画面４４では、図１２（ｇ）に示すように、携帯者の操作により住所がペン入力される（ＳＴ４６）。
　【００５３】入力処理部ではこのペン入力された住所を検索するように検索指令を検索処理部３に送出する。検索処理部３は、ステップＳＴ４６でペン入力された住所の文字列に基づいて地図情報記憶部１１における詳細地図情報を前方一致検索すると共に（ＳＴ４７）、ステップＳＴ４３に進む。以下、前述同様に、詳細地図を検索して表示処理を実行する。このように、本実施例装置は、住所がペン入力された場合であっても、当該ペン入力された住所に対応する地点を含む詳細地図を検索して表示することができる。
（４）メモ地点の登録
図１３はある地点へのメモ情報の登録動作を説明するためのフローチャートである。
　【００５４】いま、入力処理部２では、携帯者により、詳細地図画面の同一地点が２回タッチ操作され（ＳＴ５１）、且つメモボタン３４がタッチ操作されると（ＳＴ５２）、ステップＳＴ５１でタッチ操作により指定された地点を対象としてメモ情報の登録処理を開始する旨の登録指令を登録部４に送出する。
　【００５５】登録部４はこの登録指令を受けると、カテゴリ一覧をカテゴリ一覧記憶部１４から読出すと共に、図１４（ｈ）に示すように、該カテゴリ一覧４５を表示処理部５を介して表示部７に表示させる（ＳＴ５３）。
　【００５６】ここで、入力処理部２では、携帯者のタッチ操作により、カテゴリ一覧４５のうちのいずれかのカ
テゴリが選択されると、このカテゴリに対応するキーワード毎のコメント入力画面の表示指令を表示処理部５に送出する。表示処理部５はこの表示指令に基づいて、選択されたカテゴリに対応するキーワードをカテゴリ一覧記憶部１４から検索し、且つ検索結果に基づいて、図１４（ｉ）に示すように、キーワード毎にコメント入力画面を示すコメント入力ウインドウ画面４６を表示処理する（ＳＴ５５）。このコメント入力ウインドウ画面４６では、図１５（ｊ）に示すように、携帯者のペン入力操作により、コメントがペン入力される。
　【００５７】続いて、入力処理部２は、携帯者により該ウインドウ画面４６内のボタンがタッチ操作されると、このタッチ操作されたボタンの種類が実行ボタンであるか否かを判定し（ＳＴ５６）、実行ボタンでは無くキャンセルボタンのとき、ステップＳＴ５１における指定地点への当該メモ情報の登録処理を取消して（ＳＴ５７）処理を終了し、ステップＳＴ５６の判定が実行ボタンのタッチ操作を示すとき、ステップＳＴ５１における指定地点への当該メモ情報の登録指令を登録部４に送出する。
　【００５８】登録部４ではこの登録指令に基づいて、該指定地点の地図座標と該メモ情報（キーワード、コメントの先頭２文字並びにカテゴリ）とを結合情報テーブル１７に登録すると共に（ＳＴ５８）、登録の完了表示を表示処理部５に実行させる（ＳＴ５９）。
　【００５９】このように、詳細地図上で地点及びカテゴリを指定することにより、この指定地点上でカテゴリに対応するキーワード毎にコメントをメモ情報として記録することができる。
（５）メモ地点の検索
図１６はある地点に登録されたメモ情報の検索動作を説明するためのフローチャートである。
　【００６０】いま、携帯者にメモボタン３４がタッチ操作されたとする。入力処理部２はこのメモボタン３４のタッチ操作に従って検索指令を検索処理部３に送出する（ＳＴ６１）。検索処理部３は、この検索指令に基づいてカテゴリ一覧をカテゴリ一覧記憶部１４から読出すと共に、該カテゴリ一覧を表示処理部５に与える。表示処理部５はカテゴリ一覧４５の表示処理を実行する（ＳＴ６２）。
　【００６１】ここで、入力処理部２では、携帯者のタッチ操作により、カテゴリ一覧４５のうちのいずれかのカテゴリが選択されると（ＳＴ６３）、キーワード及びコメントの検索入力画面をウインドウ表示する旨の表示指令を表示処理部５に送出する。表示処理部５はこの表示指令に基づいて検索入力画面の表示処理を実行する（ＳＴ６４）。続いて、検索入力画面では、携帯者の操作により、キーワード及びコメントがペン入力される（ＳＴ６５）。
　【００６２】入力処理部２ではこのペン入力されたキーワード及びコメントを検索する旨の検索指令を検索処理部３に送出する。検索処理部３はこの検索指令を受けると、ステップＳＴ６３で選択されたカテゴリ及びステップＳＴ６５でペン入力された文字列に基づいてデータベース部１のメモ情報記憶部１６における全件のキーワード及びコメントを検索すると共に（ＳＴ６６）、該当するキーワード及びコメントの候補の有無を判定し（ＳＴ６７）、判定結果が候補の無い旨を示すとき、候補の無い旨を表示させる表示指令を表示処理部５に通知して処理を終了し（ＳＴ６８）、ステップＳＴ６７による判定が候補の有る旨を示すとき、メモ情報記憶部１６内のメモ情報のうち、ペン入力されたキーワード及びコメントに該当するものについて名称のリストを作成し（ＳＴ６９）、該リストを表示処理部５に通知する。表示処理部５はこのリストの表示処理を実行する（ＳＴ７０）。
　【００６３】検索処理部３では、このリストに表示された各名称のうち、ある名称をタッチ操作で選択されると（ＳＴ７１）、この名称に従って結合情報テーブル１７内から該名称の地図座標を検索し、この地図座標を含む詳細地図情報を表示処理部５に与える。表示処理部５はこの詳細地図情報に基づいて詳細地図の表示処理を実行すると共に（ＳＴ７２）、該地図座標に該当する指定地点のマーク表示処理を実行し（ＳＴ７３）、該名称のウインドウ表示処理を実行する（ＳＴ７４）。
　【００６４】このように、本実施例装置は、ペン入力されたキーワード及びコメントに対応する地点を検索して詳細地図と共に、表示することができる。なお、ステップＳＴ７４の後、入力処理部２は、携帯者により、ウインドウ画面内のボタンがタッチ操作されると、このタッチ操作されたボタンの種類が実行ボタンであるか否かを判定し（ＳＴ７５）、実行ボタンでは無くキャンセルボタンのとき、ステップＳＴ７４における名称の表示処理を取消して（ＳＴ７６）処理を終了し、ステップＳＴ７５の判定が実行ボタンのタッチ操作を示すとき、該地点のメモ情報の表示指令を検索処理部３に送出する。
　【００６５】検索処理部３はこの表示指令に従って該地点のメモ情報をメモ情報記憶部１６から読出して表示処理部５に与え、表示処理部５はこのメモ情報のウインドウ表示処理を実行する（ＳＴ７７）。また、ここではメモ情報の書替えが可能となっている。例えば入力処理部２は、携帯者により画面内のキーワードのいずれかが２回タッチ操作されると、該キーワードのコメントの登録指令を登録部４に送出する。登録部４はこの登録指令により表示処理部５を介して該コメントを画面から消去し、しかる後、該コメントが新たにペン入力されてから実行ボタンがタッチ操作されると、このコメントをメモ情報記憶部１６に登録することにより、メモ情報の書替えを実行する。また、入力処理部２は、携帯者にキャンセルボタンがタッチ操作されると、該地点における名称のウインドウ表示に戻る旨の表示指令を表示処理部５に与えることにより、本実施例装置をステップＳＴ７４に戻す。
（６）ランドマークの表示
図１７は住所録、ビジネスポイント及びメモ情報のカテゴリから選択された複数の地点のランドマーク表示動作を説明するためのフローチャートであり、図１８はランドマーク表示された地点の情報の参照動作を説明するためのフローチャートである。
　【００６６】いま、携帯者により特別ボタン３５がタッチ操作されたとする。入力処理部２はこの特別ボタン３５のタッチ操作に従ってランドマーク表示、ポイントリスト表示及びカテゴリ登録の３つの機能を選択するための機能選択画面の表示指令を表示処理部に送出する（ＳＴ８１）。表示処理部は、図１９（ｋ）に示すように、この表示指令に従って機能選択画面４７の表示処理を実行する（ＳＴ８２）。
　【００６７】ここで、入力処理部２では、携帯者のタッチ操作により、機能選択画面４７のうちの“ランドマーク表示”が選択されると（ＳＴ８３）、住所録、ビジネスポイント及びメモ情報のカテゴリを示すエントリリストを表示する旨の表示指令をリスト作成部６に送出する。リスト作成部６はこの表示指令に従って結合情報テーブル１７内に登録済の情報を対象としたエントリリストを作成し、図１９（ｌ）に示すように、作成結果をエントリリスト４８として表示処理部５を介して表示させる（ＳＴ８４）。
　【００６８】続いて、エントリリスト４８では、リストページ移動ボタン４８ａによるページ移動操作及び実行ボタン４８ｂあるいはキャンセルボタン４８ｃのタッチ操作により、住所録記憶部１２の内容、ビジネス情報記憶部１３の内容及びメモ情報記憶部１６内でカテゴリにより区分される内容のうちのいくつかがランドマーク表示内容として指定あるいは指定解除され、実行ボタンの２回連続のタッチ操作により、ランドマーク表示内容が確定される（ＳＴ８５）。
　【００６９】また、入力処理部２では、このランドマーク表示内容の表示指令を検索処理部３に送出する。検索処理部３ではこの表示指令に従って結合情報テーブル１７を参照してランドマーク表示内容に該当する地点の地図座標を検索し、検索結果を表示処理部５に与える。表示処理部５はこの検索結果に基づいてステップＳＴ８５で選択された内容に関するランドマークの表示処理を実行する（ＳＴ８６）。
　【００７０】このように、本実施例装置は、住所録、ビジネスポイント及びメモ情報のカテゴリのうちの所望の内容についてランドマークを表示することができる。次に、入力処理部２では、携帯者の操作によりある地点のランドマークがタッチ操作されると（ＳＴ８７）、該地点の情報の表示指令を検索処理部３に送出する。検索処理部３はこの表示指令と現在の表示内容とに基づいて該地点の地図座標を求めると共に、この地図座標に従って結合情報テーブル１７内から該地点の名称を検索し、検索結果を表示処理部５に与える。表示処理部５はこの検索結果に基づいて該地点の名称のウインドウ表示処理を実行する（ＳＴ８８）。
　【００７１】続いて、入力処理部２は、携帯者により、ウインドウ画面のボタンがタッチ操作されると、このタッチ操作されたボタンの種類が実行ボタンであるか否かを判定し（ＳＴ８９）、実行ボタンでは無くキャンセルボタンのとき、ステップＳＴ８８における名称の表示処理を取消して（ＳＴ９０）処理を終了し、ステップＳＴ８９の判定が実行ボタンのタッチ操作を示すとき、該地点の情報の表示指令を検索処理部３に送出する。
　【００７２】検索処理部３はこの表示指令に従って該地点の情報を住所録記憶部１２、メモ情報記憶部１６又はビジネス情報記憶部１３のうちの該当する記憶部から読出して表示処理部５に与え、表示処理部５はこの情報のウインドウ表示処理を実行する（ＳＴ９１）。なお、ステップＳＴ９１で表示される情報は、該地点に該当する記憶部が住所録記憶部１２の場合、氏名、会社名、所属、郵便番号、住所、電話番号及びファックス番号であり、メモ情報記憶部１６の場合、キーワード及びコメントである。
　【００７３】このように、本実施例装置はランドマーク表示中の所望の地点を指定することにより、この指定地点の情報を表示することができる。
（７）ポイントリストの表示
図２０は表示中の地図全体に住所録情報、ビジネス情報又はメモ情報として登録されている各情報のリスト表示及び該地点の検索表示動作を説明するためのフローチャートである。
　【００７４】いま、携帯者により特別ボタン３５がタッチ操作されたとする。表示処理部５は、前述した通り、ランドマーク表示、ポイントリスト表示及びカテゴリ登録の３つの機能を選択するための機能選択画面４７の表示処理を実行する（ＳＴ１０１）。
　【００７５】ここで、入力処理部２では、携帯者のタッチ操作により、機能選択画面４７のうちの“ポイントリスト表示”が選択されると（ＳＴ１０２）、ポイントリストを作成する旨のリスト作成指令をリスト作成部６に送出する。リスト作成部６はこのリスト作成指令を受けると、表示処理部５内の現在表示中の詳細地図情報を読出し、この詳細地図情報に含まれる地図座標に対応する名称を結合情報テーブル１７から検索し、検索結果を表示処理部５に送出する。表示処理部５はこの検索結果に基づいて現在表示中の地図内で結合情報テーブル１７に登録済の各情報の名称をリスト化してウインドウ表示処理する（ＳＴ１０３）。
　【００７６】検索処理部３では、このリストに表示された各名称のうち、ある名称をタッチ操作で選択されると（ＳＴ１０４）、この名称に従って結合情報テーブル１７内から該名称の地図座標を検索し、この地図座標に該当する地点をほぼ中心となるようにスクロールする旨の表示指令を表示処理部５に与える。表示処理部５はこの表示指令に基づいて詳細地図のスクロール表示処理を実行すると共に（ＳＴ１０５）、該地図座標に該当する指定地点のマーク表示処理を実行し（ＳＴ１０６）、該名称のウインドウ表示処理を実行する（ＳＴ１０７）。
　【００７７】このように、現在表示中の詳細地図の範囲において、結合情報テーブル１７に登録済の地点をリスト化して表示でき、且つこのリストから選択された地点をマーク表示及び名称表示することができる。なお、ここで、携帯者によりウインドウ画面の実行ボタンがタッチ操作されると（ＳＴ１０８）、前述した通り、該地点の情報が表示され（ＳＴ１０９）、キャンセルボタンがタッチ操作されると、ウインドウ画面が消去される（ＳＴ１１０）。
（８）カテゴリ登録
図２１はカテゴリの登録動作並びに削除動作を説明するためのフローチャートである。
　【００７８】いま、携帯者により特別ボタン３５がタッチ操作されたとする。表示処理部５では、前述した通り、機能選択画面４７の表示処理を実行する（ＳＴ１１１）。ここで、入力処理部２では、携帯者のタッチ操作により、機能選択画面４７のうちの“カテゴリ登録”が選択されると（ＳＴ１１２）、カテゴリ入力ウインドウ画面の表示指令を表示処理部５に送出する。表示処理部５は、図２２（ｍ）に示すように、この表示指令に従ってカテゴリ入力ウインドウ画面４９の表示処理を実行する（ＳＴ１１３）。このカテゴリ入力ウインドウ画面４９では、携帯者のペン入力操作により、カテゴリがペン入力される（ＳＴ１１４）。
　【００７９】続いて、入力処理部２では、携帯者によりカテゴリ入力ウインドウ画面内のボタンがタッチ操作されると、このタッチ操作されたボタンの種類が実行ボタン４９ａであるか否かを判定し（ＳＴ１１５）、実行ボタン４９ａではなく削除ボタン４９ｂであるとき、該カテゴリの削除指令を登録部４に送出し、実行ボタンであるとき、該カテゴリの登録指令を登録部４に送出する。登録部４は、削除指令を受けたとき、この削除指令に従って結合情報テーブル１７内の該カテゴリに対応する地点の登録及びカテゴリ一覧記憶部１４内のカテゴリ等の登録を末梢することにより、カテゴリを削除して（ＳＴ１１６）処理を終了する。
　【００８０】一方、登録部４は該カテゴリの登録指令を受けたとき、該カテゴリに対応するキーワードを設定するためのキーワード項目設定ウインドウの表示指令を表示処理部５に送出する。表示処理部５は、図２２（ｎ）に示すように、この表示指令に基づいてキーワード項目設定ウインドウ画面５０の表示処理を実行する（ＳＴ１１７）。
　【００８１】ここで、入力処理部２では、携帯者により、キーワード項目設定ウインドウ画面５０内のボタンがタッチ操作されると、このタッチ操作されたボタンの種類がランドマーク設定ボタン５０ａであるか否かを判定し（ＳＴ１１８）、この判定結果がランドマーク設定ボタン５０ａを示さないとき、ステップＳＴ１２１に進み、ステップＳＴ１１８の判定結果がランドマーク設定ボタン５０ａを示すとき、ランドマーク一覧の表示指令を表示処理部５に送出する。
　【００８２】表示処理部５は、図２３（ｏ）に示すように、この表示指令に従ってデータベース部１からランドマーク一覧情報を読出してランドマーク一覧ウインドウ５１の表示処理を実行する（ＳＴ１１９）。このランドマーク一覧ウインドウ５１は、表示された複数種類のランドマークのうちの任意のランドマーク５１ａが携帯者のタッチ操作により選択されると（ＳＴ１２０）、図２３（ｐ）に示すように、この選択されたランドマーク５１ａを登録用に残して表示解除される。
　【００８３】続いて、キーワード項目設定ウインドウ画面５０では、携帯者のペン入力操作により、現在登録操作中のカテゴリに対応するキーワードがペン入力され（ＳＴ１２１２）、しかる後、携帯者のタッチ操作により実行ボタン５０ｂがタッチ操作される（ＳＴ１２２）。
　【００８４】入力処理部２では、実行ボタン５０ｂのタッチ操作により、カテゴリ入力ウインドウ画面４９にペン入力されたカテゴリ、キーワード項目設定ウインドウ画面５０にペン入力されたキーワード及びランドマーク一覧ウインドウ５１で選択されたランドマーク５１ａを組にして登録する旨の登録指令を登録部４に送出する。
　【００８５】登録部４はこの登録指令に基づいてこれらカテゴリ、キーワード及びランドマークをカテゴリ一覧記憶部１４に登録すると共に、登録完了を示すメッセージの表示指令を表示処理部５に送出して表示処理部５に登録完了メッセージを表示させ（ＳＴ１２３）、カテゴリの登録処理を終了する。
　【００８６】このように、本実施例装置は、カテゴリに対応してキーワード及びランドマークを登録することができる。上述したように本実施例によれば、地図情報記憶部１１、住所録記憶部１２、ビジネス情報記憶部１３、カテゴリ一覧記憶部１４、ランドマーク一覧記憶部１５、メモ情報記憶部１６、結合情報テーブル１７を備えたデータベース部１を設けている。
　【００８７】これにより、ステップＳＴ１乃至ステップＳＴ１６に述べたように、携帯者により所望の地点が指定された後、名称の一部が入力されると、リスト作成部６により、名称の一部に基づいて住所記憶部を検索し、当該検索結果をリストにして表示し、登録部４はリスト内の名称が選択されると、この名称と指定地点の地図座標とを結合情報テーブルに登録するので、名称からリストを作成することにより、人手による住所録の検索の手間を省略し、効率的に地図位置と住所録を対応させることができる。
　【００８８】また、ステップＳＴ１ａ乃至ステップＳＴ２２に述べたように、携帯者により名称の一部が入力されると、リスト作成部６により、名称の一部に基づいて住所記憶部を検索し、当該検索結果をリストにして表示し、しかる後、携帯者によりリスト内の名称が選択されると、検索処理部３の検索により、この名称に対応する住所を含む詳細地図が表示処理され、この詳細地図内の地点が指定されたとき、登録部４が、該名称と指定地点の地図座標とを結合情報テーブルに登録するので、名称入力後に変更表示された地図から所望の地点を指定できることにより、予め該当する詳細地図を探す必要を無くし、連続した登録を容易に実行することができる。
　【００８９】さらに、ステップＳＴ３１乃至ステップＳＴ４７に述べたように、携帯者のペン入力操作により、名称又は住所が指定されたとき、リスト作成部６が検索処理部３が住所録記憶部１２を参照して該当するリストを作成し、携帯者のタッチ操作により、名称又は住所が指定されたとき、検索処理部３の検索により、該指定された名称等に該当する地点を含む詳細地図を表示するので、人手による煩雑な検索作業を省略し、使用性を向上させることができる。
　【００９０】また、ステップＳＴ５１乃至ステップＳＴ５９に述べたように、登録部４により、カテゴリ一覧が表示され、携帯者によりカテゴリが選択され、且つカテゴリに対応するキーワード毎にコメントが入力されると、カテゴリ、キーワード及びコメントを結合情報テーブル１７に登録するので、メモ情報の検索の容易化を図ることができる。
　【００９１】さらに、ステップＳＴ６１乃至ステップＳＴ７７に述べたように、携帯者により、カテゴリ、キーワード及びコメントが入力されると、検索処理部３の検索により、入力内容に対応するメモ情報をリスト化し、このリストから名称が選択されると、選択された名称の地点のマーク表示が実行されるので、カテゴリで分野を限定し、且つ限定された分野内でキーワード検索することにより、検索の正確性を確保できると共に、人手による地図及び地図上の地点の検索作業を省略し、一層使用性を向上させることができる。
　【００９２】また、ステップＳＴ８１乃至ステップＳＴ８６に述べたように、携帯者により、住所情報、ビジネスポイント情報及びメモ情報のカテゴリが選択されると、検索処理部３の検索により、選択内容におけるランドマークを表示するので、地図上の位置の把握を容易化し、且つ複数のカテゴリの表示中に各カテゴリにおける位置関係の把握の適格性を向上させることができる。
　【００９３】さらに、ステップＳＴ８７乃至ステップＳＴ９１に述べたように、表示中のランドマークが携帯者により選択されると、検索処理部３の検索により、該選択されたランドマークに対応する情報が表示されるので、人手による煩雑な検索作業を省略し、より一層使用性を向上させることができる。
　【００９４】また、ステップＳＴ１０１乃至ステップＳＴ１１０に述べたように、リスト作成部６により、現在表示中の詳細地図に含まれて且つ結合情報テーブルに登録済の情報のリストを作成し、このリストから名称が選択されると、この名称の地点のマーク表示及びスクロール表示を実行するので、人手による煩雑な検索作業を省略し、より一層使用性を向上させることができる。
　【００９５】さらに、ステップＳＴ１１１乃至ステップ１２３に述べたように、携帯者により、カテゴリ、キーワード及びランドマークが入力されると、登録部４が、これらの入力内容を結合情報テーブル１７に登録するので、メモ情報の検索の容易化、地図上における位置の把握の容易化及び位置関係における把握の適格性の向上を期待することができる。
　【００９６】上記実施例では、ステップＳＴ６８において候補の無い旨を表示して処理を終了する場合について説明したが、これに限らず、候補の無い旨を表示した後にステップＳＴ１５及びステップＳＴ１６と同様に再入力の有無を確認して再入力無しのときに処理を終了し、再入力有りのときにウインドウ画面をリセットしてステップＳＴ６５に戻る手順としても、本発明を同様に実施して同様の効果を得ることができる。その他、本発明はその要旨を逸脱しない範囲で種々変形して実施できる。
　【００９７】
　【発明の効果】
　【００９８】
　【００９９】
　【０１００】
　【０１０１】以上説明したように請求項１の発明によれば、複数のランドマークと、複数のカテゴリ及び各カテゴリに対応してキーワード並びにランドマークとが記憶され、カテゴリ登録部により登録されたカテゴリ及びキーワードの組毎に、メモ情報が記憶されるメモ情報記憶手段と、メモ情報記憶手段に記憶されたメモ情報と地図情報とが対応して記憶される対応情報記憶手段とを設け、カテゴリ登録部が、入力されたカテゴリ、入力されたキーワード及びランドマーク一覧記憶部の記憶内容から選択されたランドマークを組にして登録する旨の登録指令に基づいて、該カテゴリに対応してキーワード及びランドマークを登録し、地点表示手段が、メモ情報記憶手段内のあるメモ情報が指定されたとき、対応情報記憶手段内の対応関係に基づいて、指定されたメモ情報に対応する地図情報に従って地図を表示処理し、且つこの地図内で指定されたメモ情報に対応する地点をランドマークにより表示する。このように、前述した煩雑な検索作業の省略に加え、カテゴリに対応してキーワード及びランドマークを登録することができる。
　【０１０２】
　【０１０３】
　【０１０４】
【図面の簡単な説明】
　【図１】本発明の実施例に係る地図表示装置の構成を示す機能ブロック図
　【図２】同実施例における結合情報テーブルの構成図
　【図３】同実施例における表示画面を示す模式図
　【図４】同実施例における表示画面を示す模式図
　【図５】同実施例における表示画面を示す模式図
　【図６】同実施例における動作を説明するためのフローチャート
　【図７】同実施例における表示画面を示す模式図
　【図８】同実施例における表示画面を示す模式図
　【図９】同実施例における動作を説明するためのフローチャート
　【図１０】同実施例における動作を説明するためのフローチャート
　【図１１】同実施例における表示画面を示す模式図
　【図１２】同実施例における表示画面を示す模式図
　【図１３】同実施例における動作を説明するためのフローチャート
　【図１４】同実施例における表示画面を示す模式図
　【図１５】同実施例における表示画面を示す模式図
　【図１６】同実施例における動作を説明するためのフローチャート
　【図１７】同実施例における動作を説明するためのフローチャート
　【図１８】同実施例における動作を説明するためのフローチャート
　【図１９】同実施例における表示画面を示す模式図
　【図２０】同実施例における動作を説明するためのフローチャート
　【図２１】同実施例における動作を説明するためのフローチャート
　【図２２】同実施例における表示画面を示す模式図
　【図２３】同実施例における表示画面を示す模式図
　【符号の説明】
　１…データベース部、２…入力処理部、３…検索処理部、４…登録部、５…表示処理部、６…リスト作成部、７…表示部、８…スクロール制御部、１１…地図情報記憶部、１２…住所録記憶部、１３…ビジネス情報記憶部、１４…カテゴリ一覧記憶部、１５…ランドマーク一覧記憶部、１６…メモ情報記憶部、１７…結合情報テーブル